(57)【要約】【課題】  デジタルカメラのような携帯映像機器の表示装置の不必要な画像表示を防止する。【解決手段】  デジタルカメラ１０において、ＣＰＵ４１はカメラの駆動を制御する。撮像素子４０は画像信号を生成し、ＣＰＵ４１はその生成した画像を表示装置１２に表示する。振動検出センサ３０は、デジタルカメラ１０の振動量を検出する。カウンタ５２は、測定された振動量が継続して所定振動量以下である時間をカウントする。カウントされた時間が第１の期間以上になれば、表示装置１２における画像表示を停止する。一方、画像表示が停止した後、所定振動量以上の振動量を検出すれば、表示装置１２における画像表示を再開する。さらに、カウントされた時間が、第１の期間よりも長い第２の期間以上になれば、デジタルカメラ１０の駆動も停止する。【選択図】        図２
2006196944.tif 000002
【特許請求の範囲】
【請求項１】
画像を表示する表示装置を有する携帯映像機器を制御するための駆動制御装置であって、
前記携帯映像機器の振動量を検出する振動検出センサを備え、
前記振動量が、第１の期間中継続して所定量以下である場合、前記表示装置上における画像の表示を停止することを特徴とする駆動制御装置。
【請求項２】
前記振動量が、前記第１の期間より長い第２の期間継続して所定量以下である場合、前記携帯映像機器の駆動を停止することを特徴とする請求項１に記載の駆動制御装置。
【請求項３】
画像の表示を停止している場合、所定量以上の前記振動量を検出することにより、前記表示装置上における画像の表示を開始することを特徴とする請求項１に記載の駆動制御装置。
【請求項４】
画像の表示を停止している場合、第３の期間中継続して、所定量以上の前記振動量を検出することにより、前記表示装置上における画像の表示を開始することを特徴とする請求項１に記載の駆動制御装置。
【請求項５】
前記第３の期間は、前記第１の期間より短いことを特徴とする請求項４に記載の駆動制御装置。
【請求項６】
前記表示装置は、有機エレクトロルミネセンス素子で構成されることを特徴とする請求項１に記載の駆動制御装置。
【請求項７】
前記所定量は、変更可能であることを特徴とする請求項１に記載の駆動制御装置。
【発明の詳細な説明】
【技術分野】
【０００１】
本発明は、表示装置を有する携帯映像機器の駆動制御装置に関する。
【背景技術】
【０００２】
従来、デジタルカメラ、ＰＤＡ（個人向け携帯情報端末）、ハンディターミナル、携帯電話等、表示装置が搭載された各種の携帯映像機器が知られている。これら携帯映像機器の表示装置としては、近年、有機エレクトロルミネセンス素子（以下、有機ＥＬ素子という）で構成される有機ＥＬ表示装置が用いられつつある。有機ＥＬ表示装置は、汎用的に使用されている液晶ディスプレイに比べ、高速な応答性を有すること、視野角が広いこと、素子が占める容積が小さいこと等、優れた点を数多く有する。
【０００３】
しかし、有機ＥＬ表示装置は、その装置の使用時間（発光時間）が長くなると、有機ＥＬ素子の発光量が低下し、所望の画質を維持できなくなる。したがって、有機ＥＬ表示装置は、使用するとき以外できるだけ発光させるべきではない。
【０００４】
ところで、表示装置の駆動制御装置としては種々のものが知られており、例えば非特許文献１には、消費電力を抑制するために、一定時間継続して操作部材からの入力がない場合、自動的に表示装置の駆動が停止されるデジタルカメラが知られている。
【非特許文献１】「デジタルカメラ Optio 430RS, Optio 330RS  使用説明書」、旭光学工業株式会社発行、2002年6月、p. 120
【発明の開示】
【発明が解決しようとする課題】
【０００５】
しかし、このようなデジタルカメラでは、操作部材を使用しないで被写体を長時間観察していると、表示装置の駆動が不意に停止されてしまうことがある。このように、不意に表示装置の駆動が停止されると、ユーザーは被写体観察等が満足に行えない場合がある。
【０００６】
本発明はこのような問題点に鑑みて成されたものであり、ユーザーの意図に沿うように表示装置の駆動を制御する携帯映像機器の駆動制御装置を提供することを目的とする。
【課題を解決するための手段】
【０００７】
本発明に係る駆動制御装置は、画像を表示する表示装置を有する携帯映像機器を制御するための駆動制御装置である。そして駆動制御装置は、携帯映像機器の振動量を検出する振動検出センサを備え、振動量が、第１の期間中継続して所定量以下である場合、表示装置上における画像の表示を停止することを特徴とする。
【０００８】
携帯映像機器は、本発明においては、把持されつつ使用される機器であり、表示装置上に表示される画像は、使用者に把持されつつ観察される。すなわち、本発明における携帯映像機器は、例えば、デジタルカメラ、ＰＤＡ、ハンディターミナル、携帯電話等である。ノートパソコンのようにテーブル等に置かれて、表示装置上の画像が観察されるものは、本発明における携帯映像機器には含まれない。
【０００９】
携帯映像機器は、把持されて使用されるので、使用中においては、振動させられる。したがって、本発明においては、携帯映像機器の振動量が、第１の期間中継続して所定量以下である場合、携帯映像機器は使用されていないと判断し、表示装置上における画像の表示を停止する。これにより、不使用中における表示装置の不必要な発光を防止できる。
【００１０】
振動量が、第１の期間よりも長い第２の期間中継続して所定量以下である場合、携帯映像機器の駆動も停止することが好ましい。これにより、携帯映像機器の不必要な駆動も防止できる。
【００１１】
表示装置上における画像の表示を停止している場合、所定量以上の振動量を検出することにより、表示装置上における画像表示を開始しても良い。これにより、携帯映像機器の使用が開始されると、操作部材が操作されなくても、表示装置上における画像表示が開始される。なお、表示装置上における画像表示を停止している場合、第３の期間中継続して、所定量以上の振動量を検出することにより、表示装置上における画像表示を開始してもよい。この場合、第３の期間は、第１の期間より短いほうが良い。
【００１２】
本発明は、表示装置が、有機ＥＬ素子で構成される携帯映像機器に適用されることが好ましく、不必要な発光の防止により、有機ＥＬ素子の寿命を長くすることができる。振動量の所定量は、変更可能であっても良い。
【発明の効果】
【００１３】
本発明に係る携帯映像機器は、所定時間継続して振動されない場合、表示装置の駆動が停止されるので、表示装置の不必要な発光が防止される。
【発明を実施するための最良の形態】
【００１４】
以下、本発明の実施形態を図面を参照して説明する。図１は、本発明の一実施形態を適用したデジタルカメラの背面図である。デジタルカメラ１０は、カメラ本体１１を有し、カメラ本体１１の正面略中央部に撮像光学系（図示せず）が取り付けられている。カメラ本体１１の背面の左側には、表示装置１２が配置される。表示装置１２は、有機ＥＬ素子によって構成される。表示装置１２には、撮像光学系によって撮像された静止画像や動画が表示される。
【００１５】
表示装置１２の右横には、十字選択スイッチ１５が設けられ、十字選択スイッチ１５中央部にはＯＫスイッチ２１が設けられる。また、表示装置１２の上方には、被写体を観察するためのファインダ２６と、メニュースイッチ１８が設けられる。
【００１６】
カメラ本体１１を背面から見たとき、カメラ本体１１の上部の右側にはレリーズボタン２０が設けられる。カメラ本体１１の上部略中央部には、電源ボタン２２が設けられる。カメラ本体１１の側面にはカードスロット（図示せず）が形成されている。カードスロットはメモリカード４７（図２参照）をカメラ本体１１内に挿入するために設けられ、カードスロットの内部にはメモリカード４７が装着されるカードコネクタ（図示せず）が設けられている。カメラ本体１１には、その内部に振動検出センサ３０（図２参照）が固定される。振動検出センサ３０は、カメラ本体１１（すなわち、デジタルカメラ１０）の加速度を測定することにより、カメラ本体１１の振動量を検出する。
【００１７】
図２に本実施形態のデジタルカメラ１０の電気的構成を示す。このカメラの動作はマイコンを備えたＣＰＵ４１によって制御される。すなわち、ＣＰＵ４１の制御により、表示装置１２に動画あるいは静止画が表示され、メモリカード４７に静止画が記録される。
【００１８】
ＣＰＵ４１には、スイッチ回路４８が接続され、デジタルカメラのカメラ本体１１の背面、上面（図１参照）等に設けられたボタン類が押されると、スイッチ回路４８からＣＰＵ４１に信号が入力される。
【００１９】
ＣＰＵ４１には、振動検出センサ３０およびカウンタ５２が接続される。振動検出センサ３０では、デジタルカメラ１０の加速度が測定され、その加速度は振動量としてＣＰＵ４１に入力される。振動検出センサ３０では、例えば１／３０秒毎に振動量が検出される。カウンタ５２は、測定された振動量が継続して所定振動量以下である時間をカウントする。
【００２０】
レリーズボタン２０（図１参照）が全押しされるとスイッチ回路４８からレリーズ信号等が入力され、撮像素子４０が露光され、撮影が行われる。すなわち、レリーズボタン２０が押されると、露出制御等が行われ、撮像光学系４２で捉えられた被写体像が撮像素子４０において、画像信号に変換される。画像信号はＣＰＵ４１に入力され、一旦ＲＡＭ４９に格納される。ＲＡＭ４９に格納された画像信号は、再度ＣＰＵ４１内に読み出され、ＣＰＵ４１で画像処理がされた後、静止画像としてメモリカード４７に記録される。
【００２１】
電源が投入されると、デジタルカメラ１０が起動されるとともに、表示装置１２も起動され、表示装置１２上に動画の表示が開始される。すなわち、撮像光学系４２で捉えられた被写体像は、撮像素子４０において、画像信号に変換され、所定の画像処理を施された後、動画として表示装置１２上に表示される。
【００２２】
デジタルカメラ１０が起動された後、表示装置１２における画像の表示・非表示は、振動検出センサ３０によって測定された振動量に基づいて制御される。詳述すると、測定される振動量が、第１の期間（例えば６０秒）中継続して、所定振動量以下である場合、表示装置１２の駆動が停止され、表示装置１２における画像（動画）の表示が停止される。一方、表示装置１２の駆動が停止されている場合、測定された振動量が所定量以上であれば、表示装置１２の駆動が開始され、表示装置１２において画像（動画）の表示が開始される。
【００２３】
本実施形態では、振動量に基づいて、デジタルカメラ１０の駆動も制御される。具体的には、測定される振動量が、第２の期間（例えば１２０秒）中継続して、所定振動量以下である場合、デジタルカメラ１０の電源が切断され、デジタルカメラ１０自体の駆動も停止される。ここで、第２の期間は、第１の期間よりも長く設定される。したがって、振動量に基づいて表示装置１２の駆動が停止させられた後、一定期間（例えば６０秒）デジタルカメラ１０が振動させられないと、デジタルカメラ１０の駆動が停止する。
【００２４】
第１および第２の期間、ないし所定振動量は、ＣＰＵ４１内のメモリ（図示せず）に格納され、メニュースイッチ１８、十字選択スイッチ１５、ＯＫスイッチ２１を適宜操作することにより、変更可能である。ここで、第１の期間は、２秒から４０００秒の間で設定されるとともに、第２の期間は、上述したように第１の期間より長く設定される。
【００２５】
なお、デジタルカメラ１０は、省エネモードと、通常モードに設定可能であり、振動量の検出並びに、その振動量に基づく表示装置１２およびデジタルカメラ１０の駆動は、省エネモードに設定された場合のみ実行される。なお、省エネモードか否かは、メニュースイッチ１８、十字選択スイッチ１５、ＯＫスイッチ２１等の操作により、手動で切り替えられる。
【００２６】
以上のように、本実施形態においては、振動量が、長時間、所定振動量以下である場合、すなわちデジタルカメラ１０が長時間不使用の場合、自動的に表示装置１２の駆動が停止させられる。したがって、表示装置１２の有機ＥＬ素子の無駄な発光を停止させ、劣化を遅らせることができるので、表示装置１２において、所定の画質を長い期間に亘り維持することができる。
【００２７】
図３は本実施形態に係るデジタルカメラの駆動制御ルーチンを示す。ステップＳ１００で、電源ボタン２２がＯＮされると、デジタルカメラ１０の主電源が入力され、ステップＳ１１０でデジタルカメラ１０の駆動が開始されるとともに、表示装置１２の駆動も開始され、表示装置１２上に動画表示が開始される。
【００２８】
ステップＳ１３０では、デジタルカメラ１０が省エネモードか否かが判定される。省エネモードであるならば、ステップＳ１５０に進む一方、省エネモードでないならば、ステップＳ１４０に進み、デジタルカメラ１０は通常の駆動ルーチンに従って制御される。ステップＳ１５０以降では、省エネモードにおける駆動ルーチンにしたがってデジタルカメラ１０の駆動が制御される。
【００２９】
ステップＳ１５０では、まずカウンタ５２のカウント時間が０にリセットされる。次いで、ステップＳ１６０では、カウンタ５２のカウント時間が加算される。ここで、加算されるカウント時間は、ステップＳ１７０で行なわれる振動検出される間隔であり、本実施形態では上述したように１／３０秒に設定される。
【００３０】
次に、ステップＳ１７０では、振動検出が行われる。振動検出は、上述したように、振動検出センサ３０で測定された振動量がＣＰＵ４１に入力されて行われる。入力された振動量は、ＣＰＵ４１において所定振動量と比較され、所定振動量より高い場合、ＣＰＵ４１内において振動信号が発生される。ステップＳ１８０では、振動信号がＣＰＵ４１で発生したか否かが判定され、振動信号が発生した場合、ステップＳ１９０に進む。
【００３１】
振動の検出、すなわち振動信号の発生は、ユーザーが、デジタルカメラ１０を使用することにより、発生するものであるので、振動信号が発生した場合、表示装置１２上には、動画等の画像を表示すべきである。したがって、振動信号が発生した場合、ステップＳ１９０では、表示装置１２の駆動状態が判定され、駆動状態がＯＦＦ状態ならば、ステップＳ２００で、表示装置１２の駆動が開始され、表示装置１２上に、画像が表示された後、ステップＳ１５０に戻る。一方、表示装置１２が駆動されている場合、そのままステップＳ１５０に戻る。
【００３２】
一方、振動が検出されず、すなわち振動信号が発生していない場合、デジタルカメラ１０は使用されていないと考えられる。振動が検出されない状態が継続すると、カメラは不使用状態が継続しているので、表示装置１２の駆動は停止すべきである。したがって、まずステップＳ２１０で、カウンタ５２でカウントされているカウント時間が検出される。ここで、カウント時間は、ステップＳ１８０で振動信号が発生したと判定された場合、ステップＳ１５０で０にリセットされるものである。すなわち、カウンタ５２のカウント時間は、振動が継続して発生しない場合に加算されていくものであり、振動が発生しない期間を示すものである。
【００３３】
ステップＳ２２０では、カウント時間が、第１の期間に到達しているかどうかが判定される。第１の期間に到達していれば、デジタルカメラ１０は長時間に亘って使用されていないので、表示装置１２の駆動を停止すべきである。したがって、ステップＳ２３０で表示装置１２の駆動状態が確認され、駆動しているならば、ステップＳ２４０に進み、表示装置１２の駆動が停止され、ステップＳ１６０に戻る。一方、駆動していない場合には、ステップＳ２５０に進む。ステップＳ２５０では、カウント時間がさらに第１の期間より長い第２の期間に到達しているかどうかが判定される。第２の期間に到達している場合、第１の期間よりさらに長い時間カメラが使用されていないので、ステップＳ２６０に進み、カメラの主電源がＯＦＦにされ、デジタルカメラ１０自体の駆動も停止させられる。ステップＳ２５０でカウント時間が第２の期間に到達していない場合、ステップＳ１６０に戻り、さらにカウント時間が加算される。
【００３４】
なお、本実施形態においては、振動検出センサ３０で検出された加速度を振動量としてが、振動検出センサ３０ではデジタルカメラ１０の速度が振動量として検出されても良い。また、振動量とは、振幅の大きさや、所定期間内の振動回数も含むことを意図する。
【００３５】
なお、本実施形態では表示装置１２が駆動していないときに、振動信号が発生すると、直ちに、表示装置１２が駆動させられ画像が表示されたが、画像表示を停止する場合と同様に、所定期間継続して振動信号が発生する場合に、表示装置１２が駆動させられても良い。すなわち、本実施形態においては、振動信号が発生すると、ステップＳ２００で直ちに、表示装置１２が駆動させられたが、振動信号の発生する場合も、カウンタ５２のカウント時間がカウントされ、そのカウント時間が第３の期間に達した場合に表示装置１２の駆動が開始されても良い。なお、ここで第３の期間は、第１および第２の期間より短く、例えば１秒以下である。
【図面の簡単な説明】
【００３６】
【図１】本発明の実施形態に係るデジタルカメラの背面図である。
【図２】デジタルカメラの電気的構成を示すブロック図である。
【図３】デジタルカメラの駆動制御ルーチンのフローチャートである。
【符号の説明】
【００３７】
１０  デジタルカメラ
１２  表示装置
３０  振動検出センサ
５２  カウンタ
【図１】
2006196944.tif 000003
【図２】
2006196944.tif 000004
【図３】
2006196944.tif 000005